(57)【要約】　　　（修正有）【課題】　自動開閉傘の引張り動力装置の提供。【解決手段】　中棒内部１に動力押し棒２が設けられ、中棒内の下バネの圧縮、伸張により回復弾力を提供し、外管１４を係止解除後に上に移動させ、並びに傘骨５及び可動ろくろ４を上向きに駆動し、自動開傘を完成し、別に上バネと折り畳みバネ５１の弾力を利用し、動力押し棒を係止解除後に下向きに移動させて折り畳み動作を完成する。【選択図】　　　　図１
0003099640.tif 000002
【実用新案登録請求の範囲】
【請求項１】
　中棒の内管を具え、該内管の下端にハンドルが結合され、該内管の上端に上ろくろが組み合わされ、該内管の外部に外管が套設され、外管の上部に中ろくろが結合され、可動ろくろが外管の外部に上下にスライド可能に套設され、傘骨フレームの内端が上ろくろ、中ろくろ及び可動ろくろに枢設され、別に折り畳みバネが傘骨フレームと可動ろくろの間に連接された自動開閉傘の引張り動力装置において、
　動力押し棒が下から上に、内管の内部に通され、その上端に結合ブロックが結合され、該結合ブロックの側部に凸部が設けられて内管に設けられた上長溝内に位置し、結合ブロックの上方の内管内部に、上バネが設けられて、折り畳み補助に供され、結合ブロックの下方に別に下バネが設けられて動力押し棒の外部を囲み、下バネの下端に嵌合ブロックが組み合わされ、該嵌合ブロックも動力押し棒の外部に套設され、該嵌合ブロックに側方向凸部が設けられ、該側方向凸部が内管の下長溝内に位置し、動力押し棒にあってハンドルの制御ボタンに対応する位置に、折り畳み係止ボタンが設けられて小バネに結合され、該折り畳み係止ボタンの凸部が外向きに弾き出されるよう付勢され、制御ボタンの内部に位置決め凸塊と小バネが設けられ、傘の折り畳み時に、位置決め凸塊が外管下部の対応する係止孔を係止し、外管下部のもう一側に位置決め孔が設けられ、該位置決め孔が嵌合ブロックの凸部に対応するよう設置されたことを特徴とする、自動開閉傘の引張り動力装置。
【請求項２】
　請求項１記載の自動開閉傘の引張り動力装置において、動力押し棒を圧縮する方式でエネルギーを保存し、動力押し棒を上に移動させることにより、その折り畳み係止ボタンが内管の開孔部分に係合して位置決めし、このほか、動力押し棒の上端の結合ブロックが上向きに移動し、下バネを引っ張り、下バネの下端に結合された嵌合ブロックがその側方向凸部により外管の位置決め孔内に係止されて、外管が固定されて不動とされ、下バネが引き伸ばされ、回復の弾力が発生することを特徴とする、自動開閉傘の引張り動力装置。
【請求項３】
　請求項１記載の自動開閉傘の引張り動力装置において、制御ボタンが押されると、位置決め凸塊が外管の係止孔より離脱し、外管が嵌合ブロックの上への移動により上に移動し、中ろくろもまた同時に上に移動するため、傘骨フレームが駆動されて展開し、可動ろくろがこれに伴い上に移動し開傘状態とされることを特徴とする、自動開閉傘の引張り動力装置。
【請求項４】
　請求項１記載の自動開閉傘の引張り動力装置において、エネルギー保存状態の時、外管の下端の折り畳み係止ボタンに対応する位置は薄い構造とされ、並びにその外部を被覆するため、傘が開かれる前、即ち外管が上に移動する前に、制御ボタンを押しても折り畳み係止ボタンに接触して誤触の現象が発生することがないことを特徴とする、自動開閉傘の引張り動力装置。
【請求項５】
　請求項１記載の自動開閉傘の引張り動力装置において、開傘状態から傘を折り畳みたい時は、ただ制御ボタン３を押せば、制御ボタン内側の制圧縁が折り畳み係止ボタンを内向きに押し、このとき、折り畳みバネ及び上バネの回復弾力により、動力押し棒が下に移動し、折り畳み状態に回復することを特徴とする、自動開閉傘の引張り動力装置。
【考案の詳細な説明】
【技術分野】
【０００１】
　本考案は一種の自動開閉傘の引張り動力装置に関する。
【背景技術】
【０００２】
　周知の自動開閉傘は、傘の中棒を圧縮する方式で、内部のバネを先に圧縮し、伸張する弾力を提供し、これにロープと弾頭型の係止具を組み合わせ、傘を自動開閉する構造とされる。周知の構造は比較的複雑であり、中棒内の同一位置に大小のバネを重畳するように設け、且つ内部に極めて細いロープと位置決めしにくい弾頭形の係止具を設ける必要があり、組立に非常に不便で、また故障しやすく、実用的でない。
【考案の開示】
【考案が解決しようとする課題】
【０００３】
　本考案は上述の従来の自動開閉傘の欠点を鑑み、新規な自動開閉傘の動力構造を提供するものであり、その構造は簡単で、製造と組立が容易で、使用上も非常に便利であり、故障しにくく、ゆえに極めて良好な実用性を具備するものとする。
【課題を解決するための手段】
【０００４】
　請求項１の考案は、中棒の内管を具え、該内管の下端にハンドルが結合され、該内管の上端に上ろくろが組み合わされ、該内管の外部に外管が套設され、外管の上部に中ろくろが結合され、可動ろくろが外管の外部に上下にスライド可能に套設され、傘骨フレームの内端が上ろくろ、中ろくろ及び可動ろくろに枢設され、別に折り畳みバネが傘骨フレームと可動ろくろの間に連接された自動開閉傘の引張り動力装置において、
　動力押し棒が下から上に、内管の内部に通され、その上端に結合ブロックが結合され、該結合ブロックの側部に凸部が設けられて内管に設けられた上長溝内に位置し、結合ブロックの上方の内管内部に、上バネが設けられて、折り畳み補助に供され、結合ブロックの下方に別に下バネが設けられて動力押し棒の外部を囲み、下バネの下端に嵌合ブロックが組み合わされ、該嵌合ブロックも動力押し棒の外部に套設され、該嵌合ブロックに側方向凸部が設けられ、該側方向凸部が内管の下長溝内に位置し、動力押し棒にあってハンドルの制御ボタンに対応する位置に、折り畳み係止ボタンが設けられて小バネに結合され、該折り畳み係止ボタンの凸部が外向きに弾き出されるよう付勢され、制御ボタンの内部に位置決め凸塊と小バネが設けられ、傘の折り畳み時に、位置決め凸塊が外管下部の対応する係止孔を係止し、外管下部のもう一側に位置決め孔が設けられ、該位置決め孔が嵌合ブロックの凸部に対応するよう設置されたことを特徴とする、自動開閉傘の引張り動力装置としている。
　請求項２の考案は、請求項１記載の自動開閉傘の引張り動力装置において、動力押し棒を圧縮する方式でエネルギーを保存し、動力押し棒を上に移動させることにより、その折り畳み係止ボタンが内管の開孔部分に係合して位置決めし、このほか、動力押し棒の上端の結合ブロックが上向きに移動し、下バネを引っ張り、下バネの下端に結合された嵌合ブロックがその側方向凸部により外管の位置決め孔内に係止されて、外管が固定されて不動とされ、下バネが引き伸ばされ、回復の弾力が発生することを特徴とする、自動開閉傘の引張り動力装置としている。
　請求項３の考案は、請求項１記載の自動開閉傘の引張り動力装置において、制御ボタンが押されると、位置決め凸塊が外管の係止孔より離脱し、外管が嵌合ブロックの上への移動により上に移動し、中ろくろもまた同時に上に移動するため、傘骨フレームが駆動されて展開し、可動ろくろがこれに伴い上に移動し開傘状態とされることを特徴とする、自動開閉傘の引張り動力装置としている。
　請求項４の考案は、請求項１記載の自動開閉傘の引張り動力装置において、エネルギー保存状態の時、外管の下端の折り畳み係止ボタンに対応する位置は薄い構造とされ、並びにその外部を被覆するため、傘が開かれる前、即ち外管が上に移動する前に、制御ボタンを押しても折り畳み係止ボタンに接触して誤触の現象が発生することがないことを特徴とする、自動開閉傘の引張り動力装置としている。
　請求項５の考案は、請求項１記載の自動開閉傘の引張り動力装置において、開傘状態から傘を折り畳みたい時は、ただ制御ボタン３を押せば、制御ボタン内側の制圧縁が折り畳み係止ボタンを内向きに押し、このとき、折り畳みバネ及び上バネの回復弾力により、動力押し棒が下に移動し、折り畳み状態に回復することを特徴とする、自動開閉傘の引張り動力装置としている。
【考案の効果】
【０００５】
　本考案は上述の従来の自動開閉傘の欠点を解決した新規な自動開閉傘の動力構造を提供しており、その構造は簡単で、製造と組立が容易で、使用上も非常に便利であり、故障しにくく、ゆえに極めて良好な実用性を具備している。
【考案を実施するための最良の形態】
【０００６】
　図１、４に示されるように、本考案の自動開閉傘は、中棒内管１を具え、該中棒内管１の下端にハンドル１６が結合され、上端に上ろくろ１３が組み合わされ、中棒内管１の外部に外管１４が套設され、外管１４の上部に中ろくろ１５が結合され、可動ろくろ４が外管１４の外部に上下にスライド可能に套設され、傘骨フレーム５の内端が上ろくろ１３、中ろくろ１５及び可動ろくろ４に枢設され、別に折り畳みバネ５１が傘骨フレーム５と可動ろくろ４の間に連接されている。
【０００７】
　本考案の特徴は以下のとおりである。動力押し棒２が下から上に、中棒内管１の内部に通され、その上端に結合ブロック２１が結合され、該結合ブロック２１の側部に凸部２１１が設けられて中棒内管１に設けられた上長溝１１内に位置している。結合ブロック２１の上方の中棒内管１内部に、上バネ７が設けられて、折り畳み補助に供され、結合ブロック２１の下方に別に下バネ６が設けられて動力押し棒２の外部を囲み、下バネ６の下端に嵌合ブロック２２が組み合わされ、該嵌合ブロック２２も動力押し棒２の外部に套設され、該嵌合ブロック２２に側方向凸部２２１が設けられ、該側方向凸部２２１が中棒内管１の下長溝１２内に位置する。動力押し棒２にあってハンドル１６の制御ボタン３に対応する位置に、折り畳み係止ボタン２３が設けられて小バネ２４に結合され、該折り畳み係止ボタン２３の凸部が外向きに弾き出されるよう付勢され、制御ボタン３の内部に位置決め凸塊３１と小バネ３２が設けられている。傘の折り畳み時に、位置決め凸塊３１が外管１４下部の対応する係止孔１４１を係止し、外管１４下部のもう一側に位置決め孔１４２が設けられ、該位置決め孔１４２は嵌合ブロック２２の凸部２２１に対応するよう設置されている。
【０００８】
　使用する前に、本考案は動力押し棒２を圧縮する方式でエネルギーを保存し、図２、５に示されるように、動力押し棒２を上に移動させて、その折り畳み係止ボタン２３を中棒内管１の開孔１７部分に係合させて位置決めする。このほか、動力押し棒２の上端の結合ブロック２１が上向きに移動し、下バネ６を引っ張り、下バネ６の下端に結合された嵌合ブロック２２がその側方向凸部２２１により外管１４の位置決め孔１４２内に係止されて、外管１４が固定されて不動とされる。こうして下バネ６が引き伸ばされ、回復の弾力が発生する。この時、ただ制御ボタン３を押せば、位置決め凸塊３１が外管１４の係止孔１４１より離脱し、外管１４が嵌合ブロック２２の上への移動により上に移動し、中ろくろ１５もまた同時に上に移動するため、傘骨フレーム５が駆動されて展開し、可動ろくろ４がこれに伴い上に移動し開傘状態とされる。このエネルギー保存状態の時、外管１４の下端の折り畳み係止ボタン２３に対応する位置は比較的薄い構造とされ、並びにその外部を被覆するため、傘が開かれる前、即ち外管１４が上に移動する前に、制御ボタン３を押しても折り畳み係止ボタン２３に接触して誤触の現象が発生することがない。
【０００９】
　傘を折り畳みたい時は、ただ制御ボタン３を押せば、図３、６に示されるように、制御ボタン３内側の制圧縁３３が折り畳み係止ボタン２３を内側に押し、このとき、折り畳みバネ５１及び上バネ７の回復弾力により、動力押し棒２が下に移動し、図１、４の折り畳み状態に回復する。再使用したい時は新たに動力押し棒２を圧縮すれば、傘の自動開閉を行なうことができる。図７のＡ〜Ｃに示されるのは本考案の局部構造拡大図であり、制御ボタン３の動作時の各部品の相対移動状態を示す。
【図面の簡単な説明】
【００１０】
【図１】本考案のエネルギー蓄積前の折り畳み状態の側面図である。
【図２】図１のエネルギー蓄積後の側面図である。
【図３】本考案の開傘後の側面図である。
【図４】図１の断面構造図である。
【図５】図２の断面構造図である。
【図６】図３の断面構造図である。
【図７】本考案の制御ボタン位置の部分拡大図である。
【符号の説明】
【００１１】
１　中棒内管　　　　１１　上長溝　　１２　下長溝　　　１３　上ろくろ
１４　外管　　　　　１５　中ろくろ　１６　ハンドル　　１７　開孔
２　動力押し棒　　　２１　結合ブロック　　　　２２　嵌合ブロック
２３　折り畳み係止ボタン　　　　　　２４　小バネ
３　制御ボタン　　　　　　　　　　　３１　位置決め凸塊
３２　小バネ　　　　　　　　　　　　３３　制圧縁
４　可動ろくろ　　　　　　　　　　　５　傘骨フレーム
５１　折り畳みバネ　　　　　　　　　６　下バネ
７　上バネ
【図１】
0003099640.tif 000003
【図２】
0003099640.tif 000004
【図３】
0003099640.tif 000005
【図４】
0003099640.tif 000006
【図５】
0003099640.tif 000007
【図６】
0003099640.tif 000008
【図７】
0003099640.tif 000009